(57)【要約】【課題】実在する店舗での商品販売において、紹介による商品の販売促進を容易に図ることが可能な販売促進システム、販売促進方法およびプログラムを提供する。【解決手段】商品紹介システム６は、決済が終了した商品の商品ＩＤから紹介商品の商品ＩＤを選択することを促すための選択用情報を携帯端末１に提供し、選択用情報に基づき選択された商品ＩＤと携帯端末１の端末ＩＤとを受信すると、商品ＩＤに対応する商品を紹介する紹介広告コンテンツと、そのコンテンツに対応し商品ＩＤを含む紹介広告ＩＤとを作成し、紹介広告ＩＤとその端末ＩＤを対応付け、紹介広告ＩＤを携帯端末１に提供し、紹介広告ＩＤを受け付けると、紹介広告ＩＤに対応する紹介広告コンテンツをその送信元に提供し、店舗ＰＯＳ端末２が紹介広告ＩＤと商品ＩＤを受け付けた際に商品ＩＤが紹介広告ＩＤに含まれていると、紹介広告ＩＤに対応する端末ＩＤに特典を付与する。【選択図】図１
2008234436.tif 000002
【特許請求の範囲】
【請求項１】
携帯端末の端末ＩＤを用いて決済を行う販売促進システムであって、
商品の商品ＩＤと前記端末ＩＤを受け付けた場合に、前記商品の決済を行う決済部と、
前記決済が終了した商品の商品ＩＤの中から紹介したい商品の商品ＩＤを選択することを促すための選択用情報を、前記携帯端末に提供する選択用情報提供部と、
前記選択用情報に基づき前記携帯端末で選択された商品ＩＤと、前記端末ＩＤと、を前記携帯端末から受け付けた場合に、当該商品ＩＤに対応する商品を紹介する紹介広告コンテンツと、当該紹介広告コンテンツに対応すると共に当該商品ＩＤを含む紹介広告ＩＤと、を作成する作成部と、
前記紹介広告ＩＤと前記端末ＩＤとを対応付けて格納する紹介関係管理部と、
前記紹介広告ＩＤを前記携帯端末に提供する広告ＩＤ提供部と、
携帯端末から前記紹介広告ＩＤを受け付けた場合に、当該紹介広告ＩＤに対応する紹介広告コンテンツを当該紹介広告ＩＤの送信元に提供するコンテンツ提供部と、
前記決済部が前記紹介広告ＩＤと商品ＩＤとを受け付けた際に、当該商品ＩＤが当該紹介広告ＩＤに含まれている場合に、前記紹介関係管理部にて当該紹介広告ＩＤに対応付けられている前記端末ＩＤに関連付けて特典を付与する付与部と、を含む販売促進システム。
【請求項２】
請求項１に記載の販売促進システムにおいて、
前記付与部は、前記コンテンツ提供部が前記紹介広告ＩＤを受け付けた場合に、前記紹介関係管理部にて当該紹介広告ＩＤに対応付けられている前記端末ＩＤに特典を付与する、販売促進システム。
【請求項３】
請求項１または２に記載の販売促進システムにおいて、
前記携帯端末から、前記端末ＩＤと前記紹介広告ＩＤと当該紹介広告ＩＤの送信先とを受け付けた場合に、当該紹介広告ＩＤを当該送信先に送信すると共に、当該送信先を当該端末ＩＤおよび当該紹介広告ＩＤと対応付けて前記紹介関係管理部に格納する配信情報制御部を、さらに含む販売促進システム。
【請求項４】
決済部と、選択用情報提供部と、作成部と、紹介関係管理部と、広告ＩＤ提供部と、コンテンツ提供部と、付与部と、を含み、携帯端末の端末ＩＤを用いて決済を行う販売促進システムが行う販売促進方法であって、
前記決済部が、商品の商品ＩＤと前記端末ＩＤを受け付けた場合に、前記商品の決済を行う決済ステップと、
前記選択用情報提供部が、前記決済が終了した商品の商品ＩＤの中から紹介したい商品の商品ＩＤを選択することを促すための選択用情報を、前記携帯端末に提供する提供ステップと、
前記作成部が、前記選択用情報に基づき前記携帯端末で選択された商品ＩＤと、前記端末ＩＤと、を前記携帯端末から受け付けた場合に、当該商品ＩＤに対応する商品を紹介する紹介広告コンテンツと、当該紹介広告コンテンツに対応すると共に当該商品ＩＤを含む紹介広告ＩＤと、を作成する作成ステップと、
前記紹介関係管理部が、前記紹介広告ＩＤと前記端末ＩＤとを対応付けて格納する紹介関係管理ステップと、
前記広告ＩＤ提供部が、前記紹介広告ＩＤを前記携帯端末に提供する広告ＩＤ提供ステップと、
前記コンテンツ提供部が、携帯端末から前記紹介広告ＩＤを受け付けた場合に、当該紹介広告ＩＤに対応する紹介広告コンテンツを当該紹介広告ＩＤの送信元に提供するコンテンツ提供ステップと、
前記付与部が、前記決済部が前記紹介広告ＩＤと商品ＩＤとを受け付けた際に、当該商品ＩＤが当該紹介広告ＩＤに含まれている場合に、当該紹介広告ＩＤに対応付けられている前記端末ＩＤに関連付けて特典を付与する付与ステップと、を含む販売促進方法。
【請求項５】
請求項４に記載の販売促進方法において、
前記付与部が、前記コンテンツ提供部が前記紹介広告ＩＤを受け付けた場合に、当該紹介広告ＩＤに対応付けられている前記端末ＩＤに特典を付与する特典付与ステップを、さらに含む、販売促進方法。
【請求項６】
請求項４または５に記載の販売促進方法において、
前記販売促進システムは、配信情報制御部をさらに含み、
前記配信情報制御部が、前記携帯端末から、前記端末ＩＤと前記紹介広告ＩＤと当該紹介広告ＩＤの送信先とを受け付けた場合に、当該紹介広告ＩＤを当該送信先に送信すると共に、当該送信先を当該端末ＩＤおよび当該紹介広告ＩＤと対応付けて前記紹介関係管理部に格納する配信情報制御ステップを、さらに含む販売促進方法。
【請求項７】
商品の商品ＩＤと携帯端末の端末ＩＤを受け付けた場合に前記商品の決済を行うＰＯＳ端末と接続するコンピュータに、
前記決済が終了した商品の商品ＩＤの中から紹介したい商品の商品ＩＤを選択することを促すための選択用情報を、前記携帯端末に提供する選択用情報提供手順と、
前記選択用情報に基づき前記携帯端末で選択された商品ＩＤと、前記端末ＩＤと、を前記携帯端末から受け付けた場合に、当該商品ＩＤに対応する商品を紹介する紹介広告コンテンツと、当該紹介広告コンテンツに対応すると共に当該商品ＩＤを含む紹介広告ＩＤと、を作成する作成手順と、
前記紹介広告ＩＤと前記端末ＩＤとを対応付けて格納する格納手順と、
前記紹介広告ＩＤを前記携帯端末に提供する広告ＩＤ提供手順と、
携帯端末から前記紹介広告ＩＤを受け付けた場合に、当該紹介広告ＩＤに対応する紹介広告コンテンツを当該紹介広告ＩＤの送信元に提供するコンテンツ提供手順と、
前記ＰＯＳ端末が前記紹介広告ＩＤと商品ＩＤとを受け付けた際に、当該商品ＩＤが当該紹介広告ＩＤに含まれている場合に、当該紹介広告ＩＤに対応付けられている前記端末ＩＤに関連付けて特典を付与する付与手順と、を実行させるためのプログラム。
【発明の詳細な説明】
【技術分野】
【０００１】
本発明は、販売促進システム、販売促進方法およびプログラムに関し、特には、購買者からの情報を販売促進用として利用する販売促進システム、販売促進方法およびプログラムに関する。
【背景技術】
【０００２】
消費者が商品の購入を決定する際の大きな判断要因の１つとして、知人の推薦やネットワーク上のコミュニティ等での口コミ情報が大きな効果をあげることが調査、指摘されている。
【０００３】
インターネットにおける電子商取引等においては、この口コミによる情報伝播の特性を生かした広告手法として、アフィリエイト方式が実現されている。
【０００４】
アフィリエイト方式では、ＷＥＢサイトやメールマガジン等に企業サイトまたは電子商取引サイトへのリンクが張られ、ユーザが、そのＷＥＢサイトやメールマガジンを経由して商品を購入した際に、ＷＥＢサイトやメールマガジンの管理者に報酬が支払われる。アフィリエイト方式は、メーカおよび商品販売企業にとっては、潜在的に商品に関心を持つ層に容易に到達できるというメリットがある。
【０００５】
特許文献１にも、電子商取引において口コミによる情報伝播の特性を生かした広告方法が記載されている。
【０００６】
この広告方法では、電子商取引にて商品を購入した購入者の情報処理装置に、紹介情報が送られ、購入者は、その紹介情報を、被紹介者の情報処理装置に送信する。被紹介者が、その紹介情報を情報処理装置上で読むと、購入者に特典が贈呈される。
【０００７】
一方、実在する店舗で実際に商品が販売される際、販売される商品にＱＲコードやＵＲＬを印刷することにより、消費者を商品広告サイトへ誘導し、商品情報を提供することは、既に一般的になっている。
【０００８】
また、購入者が、そのＵＲＬやＱＲコードを、知人に、メールまたはＷＥＢ上の掲示板等で通知することにより、商品の紹介を行うことも提案されている（特許文献２参照）。
【０００９】
また、近年、通信システムにおいて、携帯電話端末は、情報通信媒体として電子メールやインターネットの利用に活用される以外にも、非接触ＩＣカードやその読み取り装置の実装が可能となり、決済機能や近距離非接触通信による情報取得端末として利用される機会も増えてきており、ますます購買活動に必須の機器となってきている。
【特許文献１】特開２００４−１３３７７２号公報
【特許文献２】特開２００６−３０９３４２号公報
【発明の開示】
【発明が解決しようとする課題】
【００１０】
実在する店舗での商品の販売では、アフィリエイト方式に特徴付けられる、紹介者が被紹介者に商品を紹介し、その紹介された商品の購買実績により紹介者が対価を得る仕組みの実現に関しては広範な普及に至っていない。
【００１１】
特許文献２に記載の商品紹介方法では、商品に付随するＲＦＩＤ等の記憶媒体内のＩＤが紹介広告として用いられる。このため、実在する店舗での商品取引において、被紹介者への紹介を普及させるためには、メーカおよび商品販売企業は、記憶媒体を、ほとんどの商品に実装するという煩わしい作業を行う必要がある。
【００１２】
本発明の目的は、実在する店舗での商品販売において、紹介による商品の販売促進を容易に図ることが可能な販売促進システム、販売促進方法およびプログラムを提供することである。
【課題を解決するための手段】
【００１３】
上記目的を達成するため、本発明の販売促進システムは、携帯端末の端末ＩＤを用いて決済を行う販売促進システムであって、商品の商品ＩＤと前記端末ＩＤを受け付けた場合に、前記商品の決済を行う決済部と、前記決済が終了した商品の商品ＩＤの中から紹介したい商品の商品ＩＤを選択することを促すための選択用情報を、前記携帯端末に提供する選択用情報提供部と、前記選択用情報に基づき前記携帯端末で選択された商品ＩＤと、前記端末ＩＤと、を前記携帯端末から受け付けた場合に、当該商品ＩＤに対応する商品を紹介する紹介広告コンテンツと、当該紹介広告コンテンツに対応すると共に当該商品ＩＤを含む紹介広告ＩＤと、を作成する作成部と、前記紹介広告ＩＤと前記端末ＩＤとを対応付けて格納する紹介関係管理部と、前記紹介広告ＩＤを前記携帯端末に提供する広告ＩＤ提供部と、携帯端末から前記紹介広告ＩＤを受け付けた場合に、当該紹介広告ＩＤに対応する紹介広告コンテンツを当該紹介広告ＩＤの送信元に提供するコンテンツ提供部と、前記決済部が前記紹介広告ＩＤと商品ＩＤとを受け付けた際に、当該商品ＩＤが当該紹介広告ＩＤに含まれている場合に、前記紹介関係管理部にて当該紹介広告ＩＤに対応付けられている前記端末ＩＤに関連付けて特典を付与する付与部と、を含む。
【００１４】
また、本発明の販売促進方法は、決済部と、選択用情報提供部と、作成部と、紹介関係管理部と、広告ＩＤ提供部と、コンテンツ提供部と、付与部と、を含み、携帯端末の端末ＩＤを用いて決済を行う販売促進システムが行う販売促進方法であって、前記決済部が、商品の商品ＩＤと前記端末ＩＤを受け付けた場合に、前記商品の決済を行う決済ステップと、前記選択用情報提供部が、前記決済が終了した商品の商品ＩＤの中から紹介したい商品の商品ＩＤを選択することを促すための選択用情報を、前記携帯端末に提供する提供ステップと、前記作成部が、前記選択用情報に基づき前記携帯端末で選択された商品ＩＤと、前記端末ＩＤと、を前記携帯端末から受け付けた場合に、当該商品ＩＤに対応する商品を紹介する紹介広告コンテンツと、当該紹介広告コンテンツに対応すると共に当該商品ＩＤを含む紹介広告ＩＤと、を作成する作成ステップと、前記紹介関係管理部が、前記紹介広告ＩＤと前記端末ＩＤとを対応付けて格納する紹介関係管理ステップと、前記広告ＩＤ提供部が、前記紹介広告ＩＤを前記携帯端末に提供する広告ＩＤ提供ステップと、前記コンテンツ提供部が、携帯端末から前記紹介広告ＩＤを受け付けた場合に、当該紹介広告ＩＤに対応する紹介広告コンテンツを当該紹介広告ＩＤの送信元に提供するコンテンツ提供ステップと、前記付与部が、前記決済部が前記紹介広告ＩＤと商品ＩＤとを受け付けた際に、当該商品ＩＤが当該紹介広告ＩＤに含まれている場合に、当該紹介広告ＩＤに対応付けられている前記端末ＩＤに関連付けて特典を付与する付与ステップと、を含む。
【００１５】
上記発明によれば、購入者である紹介者は、携帯端末を用いて商品を購入すると、決済が終了した商品の中から紹介したい商品を選択でき、紹介したい商品を選択すると、その選択された商品の紹介広告ＩＤを得ることができる。紹介者が、この紹介広告ＩＤを被紹介者に提供し、被紹介者が、商品購入の際に、その紹介広告ＩＤで紹介された商品を購入すると、紹介者（具体的には紹介者の携帯端末の端末ＩＤ）に特典が付与される。
【００１６】
このため、実在する店舗での商品販売において、例えば、ほとんどの商品に記憶媒体を実装するという煩わしい作業を行うことなく、紹介による商品の販売促進を容易に図ることが可能になる。
【００１７】
なお、前記付与部は、前記コンテンツ提供部が前記紹介広告ＩＤを受け付けた場合に、前記紹介関係管理部にて当該紹介広告ＩＤに対応付けられている前記端末ＩＤに特典を付与することが望ましい。
【００１８】
上記発明によれば、被紹介者が、紹介広告ＩＤを用いて紹介広告コンテンツを取得すると、紹介者（具体的には紹介者の携帯端末の端末ＩＤ）に特典が付与される。
【００１９】
このため、実在する店舗での商品販売において、例えば、ほとんどの商品に記憶媒体を実装するという煩わしい作業を行うことなく、紹介者の広告実績および紹介実績に基づき、紹介者に特典が付与され、紹介による商品の販売促進を容易に図ることが可能になる。
【００２０】
また、前記携帯端末から、前記端末ＩＤと前記紹介広告ＩＤと当該紹介広告ＩＤの送信先とを受け付けた場合に、当該紹介広告ＩＤを当該送信先に送信すると共に、当該送信先を当該端末ＩＤおよび当該紹介広告ＩＤと対応付けて前記紹介関係管理部に格納する配信情報制御部を、さらに含むことが望ましい。
【００２１】
上記発明によれば、紹介関係管理部を参照することにより、紹介広告ＩＤの伝わり方を把握することが可能になる。
【００２２】
本発明のプログラムは、商品の商品ＩＤと携帯端末の端末ＩＤを受け付けた場合に前記商品の決済を行うＰＯＳ端末と接続するコンピュータに、前記決済が終了した商品の商品ＩＤの中から紹介したい商品の商品ＩＤを選択することを促すための選択用情報を、前記携帯端末に提供する選択用情報提供手順と、前記選択用情報に基づき前記携帯端末で選択された商品ＩＤと、前記端末ＩＤと、を前記携帯端末から受け付けた場合に、当該商品ＩＤに対応する商品を紹介する紹介広告コンテンツと、当該紹介広告コンテンツに対応すると共に当該商品ＩＤを含む紹介広告ＩＤと、を作成する作成手順と、前記紹介広告ＩＤと前記端末ＩＤとを対応付けて格納する格納手順と、前記紹介広告ＩＤを前記携帯端末に提供する広告ＩＤ提供手順と、携帯端末から前記紹介広告ＩＤを受け付けた場合に、当該紹介広告ＩＤに対応する紹介広告コンテンツを当該紹介広告ＩＤの送信元に提供するコンテンツ提供手順と、前記ＰＯＳ端末が前記紹介広告ＩＤと商品ＩＤとを受け付けた際に、当該商品ＩＤが当該紹介広告ＩＤに含まれている場合に、当該紹介広告ＩＤに対応付けられている前記端末ＩＤに関連付けて特典を付与する付与手順と、を実行させる。
【００２３】
上記発明によれば、上記販売促進方法を上記コンピュータに行わせることが可能になる。
【発明の効果】
【００２４】
本発明によれば、実在する店舗での商品販売において、紹介による商品の販売促進を容易に図ることが可能になる。
【発明を実施するための最良の形態】
【００２５】
以下、本発明の実施例を、図面を参照して説明する。
【００２６】
図１は、本発明の第１の実施例の販売促進システムを示したブロック図である。
【００２７】
図１を参照すると、販売促進システムは、紹介者携帯端末１と、店舗ＰＯＳ端末２と、購買情報管理部３と、商品広告管理部４と、紹介関係管理部５と、商品紹介システム６と、被紹介者携帯端末７と、を含む。
【００２８】
紹介者携帯端末１は、格納部１１と、ネットワーク接続部１２と、非接触ＩＣカード１３と、制御部１４と、を含む。店舗ＰＯＳ端末２は、格納部２１と、リーダライタ装置２２と、入力部２３と、ネットワーク接続部２４と、制御部２５と、を含む。購買情報管理部３は、格納部３１と、制御部３２と、を含む。商品広告管理部４は、格納部４１と、制御部４２と、を含む。紹介関係管理部５は、格納部５１と、制御部５２と、を含む。商品紹介システム６は、格納部６１と、ネットワーク接続部６２と、制御部６３と、を含む。被紹介者携帯端末７は、格納部７１と、ネットワーク接続部７２と、非接触ＩＣカード７３と、制御部７４と、を含む。
【００２９】
紹介者携帯端末１、店舗ＰＯＳ端末２、商品紹介システム６および被紹介者携帯端末７のそれぞれは、コンピュータにて読み取り可能な記録媒体である格納部に記録されたプログラムを読み取り実行することによって動作し、各々が備えるネットワーク接続部を介してインターネット等のネットワーク８に接続され、相互に接続されている。
【００３０】
紹介者携帯端末１は、携帯電話端末等の情報処理装置である。
【００３１】
格納部１１は、コンピュータにて読み取り可能な記録媒体の一例であり、紹介者携帯端末１を一意に識別するための端末ＩＤと、紹介者携帯端末１の動作を規定するプログラム（例えば、商品紹介アプリケーション等）を格納する。
【００３２】
ネットワーク接続部１２は、ネットワーク８を介して、店舗ＰＯＳ端末２、商品紹介システム６および被紹介者携帯端末７と通信する。
【００３３】
非接触ＩＣカード１３は、店舗ＰＯＳ端末２内のリーダライタ装置２２と無線通信する。このため、紹介者携帯端末１は、非接触ＩＣカード１３を用いて店舗ＰＯＳ端末２と通信する機能を備える。
【００３４】
制御部１４は、例えば、ＣＰＵ（コンピュータ）であり、格納部１１内のプログラムを読み取り実行することによって、種々の機能を実現する。以下では、制御部１４がプログラムを読み取り実行することによって実現する機能を、紹介者携帯端末１が備える機能として説明する。なお、紹介者携帯端末１が備える機能は、被紹介者携帯端末７も備える。
【００３５】
紹介者携帯端末１は、格納部１１内の端末ＩＤを用いて店舗ＰＯＳ端末２で決済を行う決済機能を備える。なお、紹介者携帯端末１の端末ＩＤは、非接触ＩＣカード１３に格納されてもよい。
【００３６】
紹介者携帯端末１は、店舗ＰＯＳ端末２との決済時に、店舗ＰＯＳ端末２から受信した購買ＩＤを、格納部１１に記録する機能を備える。
【００３７】
購買ＩＤは、紹介者携帯端末１と店舗ＰＯＳ端末２との間で決済された商品に関する購買情報を一意に識別するための情報である。
【００３８】
購買情報は、購買された個々の商品を一意に識別する商品ＩＤと、紹介者携帯端末１の端末ＩＤと、を含み、決済時に、店舗ＰＯＳ端末２から商品紹介システム６に送信され、商品紹介システム６は、購買情報に対応する購買ＩＤを生成し、購買情報を購買ＩＤと対応付けて購買情報管理部３に格納し、購買ＩＤを店舗ＰＯＳ端末２に送信する。
【００３９】
また、紹介者携帯端末１は、制御部１４が商品紹介アプリケーションを実行することにより、以下の複数の機能を実現する。
【００４０】
紹介者携帯端末１は、商品紹介システム６へ、購買ＩＤと紹介者携帯端末１の端末ＩＤとを送信する機能を備える。
【００４１】
紹介者携帯端末１は、商品紹介システム６から、購買ＩＤに対応した購買情報より作成された商品ＩＤリストと、そのリスト内の商品ＩＤに対応する商品名と、を受信する機能を備える。なお、商品ＩＤリストと商品名とで、選択用情報を構成する。選択用情報は、決済が終了した商品の商品ＩＤの中から紹介したい商品の商品ＩＤを選択することを促すために使用される。
【００４２】
紹介者携帯端末１は、商品ＩＤリストと商品名に基づいて紹介商品選択画面を表示して紹介者が紹介したい商品（以下「紹介商品」と称する。）、例えば、紹介商品の商品ＩＤを選択確定することを促す機能を備える。
【００４３】
紹介者携帯端末１は、紹介者にて選択された紹介商品（紹介商品の商品ＩＤ）を商品紹介システム６に送信する機能を備える。
【００４４】
紹介者携帯端末１は、商品紹介システム６から、紹介商品の紹介広告（紹介広告コンテンツ）を一意に識別する紹介広告ＩＤを受信し格納部１１に記録する機能を備える。なお、紹介広告ＩＤは、商品紹介システム６にて生成され、紹介商品の商品ＩＤを含む。
【００４５】
紹介者携帯端末１は、紹介広告ＩＤを被紹介者携帯端末７に送信する機能を備える。なお、被紹介者携帯端末７は、紹介広告ＩＤを用いて、紹介商品の紹介広告（紹介広告コンテンツ）を取得する。
【００４６】
店舗ＰＯＳ端末２は、決済部の一例であり、情報処理装置である。
【００４７】
格納部２１は、コンピュータにて読み取り可能な記録媒体の一例であり、店舗ＰＯＳ端末２の動作を規定するプログラムを格納する。
【００４８】
リーダライタ装置２２は、非接触ＩＣカード１３および７３と無線通信する。このため、店舗ＰＯＳ端末２は、リーダライタ装置２２を用いて紹介者携帯端末１および被紹介者携帯端末７と通信する機能を備える。
【００４９】
入力部２３は、購入（決済）される商品の商品ＩＤ（バーコード等）を受け付ける。
【００５０】
ネットワーク接続部２４は、ネットワーク８を介して、紹介者携帯端末１、商品紹介システム６および被紹介者携帯端末７と通信する。
【００５１】
制御部２５は、例えば、ＣＰＵ（コンピュータ）であり、格納部２１内のプログラムを読み取り実行することによって、種々の機能を実現する。以下では、制御部２５がプログラムを読み取り実行することによって実現する機能を、店舗ＰＯＳ端末２が備える機能として説明する。
【００５２】
店舗ＰＯＳ端末２は、紹介者携帯端末１および被紹介者携帯端末７等の携帯端末の端末ＩＤに基づいて、商品ＩＤに対応する商品の決済を行う決済機能を備える。
【００５３】
店舗ＰＯＳ端末２は、決済される商品に関する購買情報（決済に用いた携帯端末の端末ＩＤを含む。）を商品紹介システム６に送信する機能を備える。
【００５４】
店舗ＰＯＳ端末２は、商品紹介システム６から、購入情報に対応する購買ＩＤを受信する機能を備える。
【００５５】
店舗ＰＯＳ端末２は、紹介者携帯端末１に購買ＩＤを送信して書込む機能を備える。
【００５６】
店舗ＰＯＳ端末２は、被紹介者携帯端末７との通信（決済）時に、被紹介者携帯端末７から、紹介広告ＩＤおよび被紹介者携帯端末７の端末ＩＤを読出す機能を備える。
【００５７】
店舗ＰＯＳ端末２は、被紹介者携帯端末７の端末ＩＤを用いて購入（決済）される商品の商品ＩＤと、被紹介者携帯端末７から読出した紹介広告ＩＤおよび端末ＩＤを商品紹介システム６に送信する機能を備える。
【００５８】
購買情報管理部３は、情報処理装置であり、制御部３２は、格納部３１に購買者の購買情報とその購買ＩＤとを対応付けて格納して管理するデータベース管理機能を備えている。
【００５９】
格納部３１に格納される購買情報は、図２（Ａ）に示す様なデータ構造で構成されており、紹介者携帯端末１の端末ＩＤ３１ａと、端末ＩＤ３１ａを用いて購入された商品の商品ＩＤ３１ｂと、商品ＩＤ３１ｂに対応する商品が紹介対象商品（以下「アフィリエイト対象商品」と称する。）であるか否かを示す情報３１ｃと、を最低限含んだ、紹介者の店舗における購買履歴を表す情報である。
【００６０】
購買情報は、これ以外にも、購買時の店舗ＰＯＳ端末を一意に識別するＰＯＳＩＤ３１ｄ、購買実行時刻（購買時刻）３１ｅ、店舗を一意に識別する店舗ＩＤ３１ｆ、商品単価３１ｇ、購入個数（数量）３１ｈ等の情報を含んでもよい。
【００６１】
図１に戻って、商品広告管理部４は、情報処理装置であり、制御部４２は、格納部４１にアフィリシエイト対象商品の広告を格納するデータベース管理機能を備えている。
【００６２】
商品広告は、図２（Ｂ）に示す様なデータ構造で構成されており、アフィリシエイト対象商品の商品ＩＤ４１ａと、その商品の商品広告ＵＲＬ４１ｂと、を最低限含んだ１対１の対応表である。商品広告は、さらに各商品のアフィリエイト適用時の割引率４１ｃや、商品に関する映像４１ｄ、音声４１ｅおよび商品名４１ｆ等の情報を含んでもよい。
【００６３】
図１に戻って、紹介関係管理部５は、情報処理装置であり、制御部５２は、格納部５１に、紹介者と被紹介者の関連、および、紹介実績と購買実績によるポイント情報（特典）を格納して管理するデータベース管理機能を備えている。
【００６４】
紹介関係管理部５のデータは、図２（Ｃ）に示すデータ構造で構成されており、紹介広告ＩＤ５１ａをキーに、被紹介者携帯端末７の端末ＩＤ５１ｂ、ポイント情報５１ｃおよび紹介者携帯端末１の端末ＩＤ５１ｄが紐付けられており、さらに、被紹介者携帯端末７の端末ＩＤ５１ｂに付随する情報として、商品ＩＤ５１ｅと、紹介・購買の実績を示すステータス５１ｆが紐付けられている。
【００６５】
図１に戻って、商品紹介システム６は、情報処理装置である。なお、商品紹介システム６は、単体の情報処理装置に限らず複数台の情報処理装置で構成されてもよい。
【００６６】
格納部６１は、コンピュータにて読み取り可能な記録媒体の一例であり、商品システム６の動作を規定するプログラムを格納する。
【００６７】
ネットワーク接続部６２は、ネットワーク８を介して、紹介者携帯端末１、店舗ＰＯＳ端末２および被紹介者携帯端末７と通信する。
【００６８】
制御部６３は、例えば、ＣＰＵ（コンピュータ）であり、格納部６１内のプログラムを読み取り実行することによって、種々の機能を実現する。以下では、制御部６３がプログラムを読み取り実行することによって実現する機能を、商品紹介システム６が備える機能として説明する。
【００６９】
商品紹介システム６は、購買情報管理部３と、商品広告管理部４と、紹介関係管理部５と接続し、各々の管理部から情報を読み取る機能と、各々の管理部に情報を書き込む機能を備える。
【００７０】
商品紹介システム６は、紹介者携帯端末１、店舗ＰＯＳ端末２および被紹介者携帯端末７と、相互に通信する機能を備える。
【００７１】
商品紹介システム６は、店舗ＰＯＳ端末２から送信された紹介者の購買情報を受信し、購買情報の購買ＩＤを生成し、購買ＩＤと購買情報とを対応付けて購買情報管理部３に登録する機能を備える。
【００７２】
商品紹介システム６は、購買ＩＤを店舗ＰＯＳ端末２に送信する機能を備える。なお、購買ＩＤは、店舗ＰＯＳ端末２によって、紹介者携帯端末１に書き込まれる。
【００７３】
商品紹介システム６は、紹介者携帯端末１から送信された購買ＩＤにしたがい、その購買ＩＤに対応する購買情報を購買情報管理部３より検索し、購買情報を用いて選択用情報（商品ＩＤリストと商品名）を生成し、選択用情報を紹介者携帯端末１に送信する機能を備える。
【００７４】
商品紹介システム６は、紹介者携帯端末１での紹介者の操作により選択された商品ＩＤのリスト（紹介商品の商品ＩＤのリスト）と、紹介者携帯端末１の端末ＩＤと、を受信する機能を備える。
【００７５】
商品紹介システム６は、紹介者携帯端末１からの商品ＩＤのリストに含まれる商品ＩＤに対応した商品広告ＵＲＬを商品広告管理部４から検索し、商品広告ＵＲＬのリストからなる紹介広告コンテンツを自動作成し、さらに、紹介者携帯端末１の端末ＩＤと購買ＩＤと作成時刻（現在時刻）と紹介者携帯端末１からのリスト内の商品ＩＤとから、紹介広告コンテンツに対応する紹介広告ＩＤを作成し、紹介広告ＩＤと紹介広告コンテンツとを対応付けて格納部６１に格納（配置）する機能を備える。
【００７６】
商品紹介システム６は、紹介広告ＩＤと、紹介者携帯端末１の端末ＩＤと、を対応付けて紹介関係管理部５に登録する機能を備える。なお、紹介広告ＩＤ内に紹介者携帯端末１の端末ＩＤが含まれてもよい。
【００７７】
商品紹介システム６は、紹介広告ＩＤを紹介者携帯端末１に送信する機能を備える。紹介広告ＩＤは、紹介者携帯端末１から被紹介者携帯端末７に送信される。
【００７８】
商品紹介システム６は、被紹介者携帯端末７から送信された紹介広告ＩＤおよび被紹介者携帯端末７の端末ＩＤを受信し、紹介広告ＩＤに対応する紹介広告コンテンツを被紹介者携帯端末７に送信する機能を備える。
【００７９】
商品紹介システム６は、紹介広告コンテンツの視聴実績を、紹介関係管理部５に、被紹介者携帯端末７の端末ＩＤと共に登録し、視聴ポイントを加算する機能を備えている。
【００８０】
商品紹介システム６は、被紹介者携帯端末７と店舗ＰＯＳ端末２との決済時に、店舗ＰＯＳ端末２から送信された、紹介広告ＩＤ、商品ＩＤ、および、被紹介者携帯端末７の端末ＩＤを受信し、商品ＩＤおよび端末ＩＤを紹介広告ＩＤに紐付けして、アフィリエイト利用実績として、紹介関係管理部５に登録する機能を備える。
【００８１】
商品紹介システム６は、アフィリエイト利用実績に基づいて、紹介関係管理部５の紹介広告ＩＤ（端末ＩＤ）毎にポイントを加算する機能を備える。
【００８２】
被紹介者携帯端末７は、携帯電話端末等の情報処理装置である。
【００８３】
格納部７１は、コンピュータにて読み取り可能な記録媒体の一例であり、被紹介者携帯端末７を一意に識別する端末ＩＤと、被紹介者携帯端末７の動作を規定するプログラム（例えば、商品紹介アプリケーション等）を格納する。
【００８４】
ネットワーク接続部７２は、ネットワーク８を介して、紹介者携帯端末１、店舗ＰＯＳ端末２および商品紹介システム６と通信する。
【００８５】
非接触ＩＣカード７３は、店舗ＰＯＳ端末２内のリーダライタ装置２２と無線通信する。このため、被紹介者携帯端末７は、非接触ＩＣカード７３を用いて店舗ＰＯＳ端末２と通信する機能を備える。
【００８６】
制御部７４は、例えば、ＣＰＵ（コンピュータ）であり、格納部７１内のプログラムを読み取り実行することによって、種々の機能を実現する。以下では、制御部７４がプログラムを読み取り実行することによって実現する機能を、被紹介者携帯端末７が備える機能として説明する。なお、被紹介者携帯端末７が備える機能は、紹介者携帯端末１も備える。
【００８７】
被紹介者携帯端末７は、格納部７１内の端末ＩＤを用いて店舗ＰＯＳ端末２で決済を行う決済機能を備える。なお、被紹介者携帯端末７の端末ＩＤは、非接触ＩＣカード７３に格納されてもよい。
【００８８】
被紹介者携帯端末７は、紹介者携帯端末１から紹介広告ＩＤを受信する機能を備える。
【００８９】
また、被紹介者携帯端末７は、制御部７４が商品紹介アプリケーションを実行することにより、以下の機能を実現する。
【００９０】
被紹介者携帯端末７は、受信した紹介広告ＩＤと被紹介者携帯端末７の端末ＩＤを商品紹介システム６に送信する機能を備える。
【００９１】
被紹介者携帯端末７は、商品紹介システム６より送信された紹介広告コンテンツを表示する機能を備える。
【００９２】
被紹介者携帯端末７は、店舗ＰＯＳ端末２に、紹介広告ＩＤと、被紹介者携帯端末７の端末ＩＤと、を送信する機能を備える。
【００９３】
なお、端末ＩＤに基づく決済機能の実現方法として、Ｆｅｌｉｃａ、Ｅｄｙ等の非接触ＩＣカード、赤外線による決済機能等が用いられる。
【００９４】
図３は、商品紹介システム６の主な機能を示した機能ブロック図である。
【００９５】
図３において、商品紹介システム６は、選択用情報提供部６ａと、作成部６ｂと、格納制御部６ｃと、広告ＩＤ提供部６ｄと、コンテンツ提供部６ｅと、付与部６ｆと、を含む。
【００９６】
選択用情報提供部６ａは、決済が終了した商品の商品ＩＤの中から紹介したい商品の商品ＩＤを選択することを促すための選択用情報を、決済に用いられた携帯端末（例えば、紹介者携帯端末１）に提供する。
【００９７】
作成部６ｂは、選択用情報に基づき携帯端末（例えば、紹介者携帯端末１）で選択された商品ＩＤと、その携帯端末の端末ＩＤ（例えば、紹介者携帯端末１の端末ＩＤ）と、をその携帯端末（例えば、紹介者携帯端末１）から受け付けた場合に、当該商品ＩＤに対応する商品を紹介する紹介広告コンテンツと、当該紹介広告コンテンツに対応すると共に当該商品ＩＤを含む紹介広告ＩＤと、を作成する。
【００９８】
格納制御部６ｃは、紹介広告ＩＤと、作成部６ｂが受信した携帯端末の端末ＩＤ（例えば、紹介者携帯端末１の端末ＩＤ）と、を対応付けて紹介関係管理部５に格納する。
【００９９】
広告ＩＤ提供部６ｄは、紹介広告ＩＤを携帯端末（例えば、紹介者携帯端末１）に提供する。
【０１００】
コンテンツ提供部６ｅは、携帯端末（例えば、被紹介者携帯端末７）から紹介広告ＩＤを受け付けた場合に、その紹介広告ＩＤに対応する紹介広告コンテンツを紹介広告ＩＤの送信元（例えば、被紹介者携帯端末７）に提供する。
【０１０１】
付与部６ｆは、店舗ＰＯＳ端末２が紹介広告ＩＤと商品ＩＤとを受け付けた際に、その商品ＩＤが紹介広告ＩＤに含まれている場合に、紹介関係管理部５にて、その紹介広告ＩＤに対応付けられている端末ＩＤに特典（例えば、ポイント）を付与する。
【０１０２】
また、付与部６ｆは、コンテンツ提供部６ｅが紹介広告ＩＤを受け付けた場合に、紹介関係管理部５にて、その紹介広告ＩＤに対応付けられている端末ＩＤに関連付けて特典（例えば、ポイント）を付与する。
【０１０３】
次に、本実施例の動作について詳細に説明する。
【０１０４】
図４は、紹介者が実在する店舗にて商品を購入し、購入商品の中から紹介商品を選択し、紹介広告を被紹介者に送信する流れを説明するためのシーケンス図である。
【０１０５】
紹介者は、ステップＡ１にて、紹介者携帯端末１の端末ＩＤに基づく決済機能を用いて、店舗ＰＯＳ端末２と決済行為を行う。具体的には、店舗ＰＯＳ端末２は、購入された商品の商品ＩＤを入力部２３で受け付け、さらに、紹介者携帯端末１の端末ＩＤをリーダライタ装置２２で受け付けると、その商品ＩＤにて一意に識別される商品の決済を行う。
【０１０６】
続いて、ステップＡ２にて、店舗ＰＯＳ端末２は、ステップＡ１の決済対象となった商品ＩＤおよび紹介者携帯端末１の端末ＩＤを含む購買情報を、商品紹介システム６に提供する。
【０１０７】
購買情報は、図２（Ａ）に示すようなデータ構造で構成される。なお、店舗ＰＯＳ端末２は、購買情報を作成する際、購入された商品がアフィリエイト対象商品か否かの情報３１ｃを、商品広告管理部４から取得する。
【０１０８】
商品紹介システム６（選択情報提供部６ａ）は、購買情報を受け付けると、ステップＡ３にて、購買情報を一意に識別する購買ＩＤを生成する。
【０１０９】
続いて、ステップＡ４にて、商品紹介システム６（選択情報提供部６ａ）は、購買ＩＤと購買情報とを対応付けて購買情報管理部３に登録する。
【０１１０】
続いて、ステップＡ５にて、商品紹介システム６（選択情報提供部６ａ）は、店舗ＰＯＳ端末２に購買ＩＤを送信する。
【０１１１】
店舗ＰＯＳ端末２は、購買ＩＤを受け付けると、ステップＡ６にて、購買ＩＤを紹介者携帯端末１の格納部１１メモリに書き込む。
【０１１２】
ステップＡ１〜Ａ６で、紹介者の決済行為は完了する。
【０１１３】
続いて、紹介者は、ステップＡ７にて、紹介者携帯端末１上で商品紹介アプリケーションを起動する。
【０１１４】
紹介者携帯端末１は、商品紹介アプリケーションにしたがって、ステップＡ８にて、商品紹介システム６に、端末内の購買ＩＤと端末ＩＤを送信する。
【０１１５】
商品紹介システム６（選択情報提供部６ａ）は、購買ＩＤと端末ＩＤを受信すると、ステップＡ９にて、受信した購買ＩＤと端末ＩＤに合致する購買情報を、購買情報管理部３から検索する。
【０１１６】
続いて、ステップＡ１０にて、商品紹介システム６（選択情報提供部６ａ）は、購買ＩＤと端末ＩＤに合致する購買情報を購買情報管理部３から取得する。
【０１１７】
続いて、ステップＡ１１にて、商品紹介システム６（選択情報提供部６ａ）は、取得した購買情報に含まれる商品ＩＤのリストのうち、アフィリエイト対象商品になっている商品の商品ＩＤに限定した商品ＩＤリストを作成し、その商品ＩＤリストの商品ＩＤに対応する商品名を商品広告管理部４から取得する。
【０１１８】
続いて、ステップＡ１２にて、商品紹介システム６（選択情報提供部６ａ）は、作成した商品ＩＤリストおよび商品名を、選択用情報として、紹介者携帯端末１に送信する。
【０１１９】
紹介者携帯端末１は、商品ＩＤリストおよび商品名を受け付けると、商品紹介アプリケーションにしたがって、ステップＡ１３にて、商品ＩＤリストおよび商品名から紹介商品一覧選択画面を生成し、紹介者に紹介商品の選択を促す。
【０１２０】
紹介者が紹介商品一覧選択画面に基づいて紹介者携帯端末１上で紹介商品を選択し、確定行為を行うと、ステップＡ１４にて、紹介者携帯端末１は、選択された紹介商品の商品ＩＤのリストを商品紹介システム６に送信する。
【０１２１】
商品紹介システム６（作成部６ｂ）は、紹介者携帯端末１から、紹介者により選択された紹介商品の商品ＩＤリストを受け付けると、ステップＡ１５、Ａ１６にて、紹介者により選択された商品ＩＤリスト内の商品ＩＤ毎の広告コンテンツにリンクした商品広告ＵＲＬを、商品広告管理部４より検索取得する。
【０１２２】
続いて、ステップＡ１７で、商品紹介システム６（作成部６ｂ）は、取得した商品広告ＵＲＬと紹介者により選択された商品ＩＤとを含むリストからなる紹介広告コンテンツを自動作成し、また、紹介者携帯端末１の端末ＩＤと購買ＩＤと作成時刻（現在時刻）と選択された商品ＩＤリスト内の商品ＩＤから、紹介広告コンテンツを一意に識別する紹介広告ＩＤを作成し、紹介広告ＩＤと紹介広告コンテンツとを対応付けて格納部６１に格納（配置）する。
【０１２３】
続いて、ステップＡ１８にて、商品紹介システム６（格納制御部６ｃ）は、紹介広告ＩＤと、紹介者携帯端末１の端末ＩＤと、を対応付けて紹介関係管理部５に登録する。
【０１２４】
登録が完了すると、商品紹介システム６（広告ＩＤ提供部６ｄ）は、ステップＡ１９にて、紹介広告ＩＤを紹介者携帯端末１に送付する。
【０１２５】
紹介者携帯端末１は、紹介広告ＩＤを受け付けると、商品紹介アプリケーションにしたがって、ステップＡ２０にて、格納部１１に紹介広告ＩＤを記憶すると共に、紹介者に紹介行動を促す画面を表示し、紹介者が被紹介者を選択して送信を確定すると、紹介者携帯端末１は、文書内に紹介広告ＩＤを含む紹介広告を、被紹介者携帯端末７宛にメール等にて送信する。
【０１２６】
図５は、被紹介者が、紹介広告のメール等を被紹介者携帯端末７で受信し、紹介広告を参照する流れを説明するためのシーケンス図である。
【０１２７】
ステップＢ１にて、被紹介者携帯端末７は、紹介広告ＩＤを文書に含む紹介広告を受信する。
【０１２８】
紹介広告を受信した被紹介者携帯端末７は、ステップＢ２にて、商品紹介アプリケーションを起動し、ステップＢ３にて、紹介広告ＩＤおよび被紹介者携帯端末７の端末ＩＤを商品紹介システム６に送信する。
【０１２９】
続いて、ステップＢ４にて、商品紹介システム６（コンテンツ提供部６ｅ）は、紹介広告ＩＤに対応する紹介広告コンテンツを被紹介者携帯端末７に送信する。
【０１３０】
紹介広告コンテンツを受信した被紹介者携帯端末７は、商品紹介アプリケーションにしたがって、紹介広告を画面上に表示し、被紹介者が商品情報へアクセスすることを促す。
【０１３１】
被紹介者が、画面上で商品を選択すると、ステップＢ５にて、被紹介者携帯端末７は、商品紹介アプリケーションにしたがって、紹介広告ＩＤと紹介広告コンテンツ内の商品広告ＵＲＬを、商品紹介システム６に送信する。
【０１３２】
商品紹介システム６（コンテンツ提供部６ｅ）は、ステップＢ６、Ｂ７にて、指定されたＵＲＬの商品広告を被紹介者携帯端末７に送信し、被紹介者携帯端末７は、紹介管理アプリケーションにしたがって、受信した商品広告を表示すると共に、格納部７２に、紹介広告ＩＤと商品ＩＤを記憶する。
【０１３３】
なお、商品紹介システム６（付与部６ｆ）は、コンテンツ提供部６ｅが紹介広告ＩＤを受け付けた場合に、紹介関係管理部５にて、その紹介広告ＩＤに対応付けられている端末ＩＤに特典（例えば、ポイント）を付与する。
【０１３４】
図６は、被紹介者が商品広告を実在する店舗にて活用し、商品を購入する際の流れを説明するためのシーケンス図である。
【０１３５】
被紹介者は、ステップＣ１にて、被紹介者携帯端末７の端末ＩＤに基づく決済機能を用いて、店舗ＰＯＳ端末２に、被紹介者携帯端末７に格納された端末ＩＤおよび紹介広告ＩＤを読み込ませる。この際、店舗ＰＯＳ端末２は、購入された商品の商品ＩＤを入力部２３にて受け付ける。
【０１３６】
続いて、ステップＣ２で、店舗ＰＯＳ端末２は、紹介広告ＩＤ内の商品ＩＤと、被紹介者の購入商品の商品ＩＤと、の突合せを実施し、合致する商品がある場合、商品紹介システム６に、紹介広告ＩＤ、商品ＩＤおよび被紹介者携帯端末７の端末ＩＤを送信する。
【０１３７】
商品紹介システム６（付与部６ｆ）は、紹介広告ＩＤ、商品ＩＤおよび被紹介者携帯端末７の端末ＩＤを受け付けると、ステップＣ３にて、紹介関係管理部５に、紹介広告ＩＤ、商品ＩＤおよび端末ＩＤを登録する。
【０１３８】
具体的には、商品紹介システム６（付与部６ｆ）は、紹介広告ＩＤをキーに、商品ＩＤ、被紹介者の携帯端末ＩＤを紐付けて紹介関係管理部５へ登録する。商品紹介システム６（付与部６ｆ）は、店舗ＰＯＳ端末２から、店舗ＩＤおよび購買日時等を受け付けた場合、店舗ＩＤおよび購買日時等を、紹介広告ＩＤに紐付けて紹介関係管理部５へ登録してもよい。
【０１３９】
次に、ステップＣ４で、商品紹介システム６（付与部６ｆ）は、店舗ＰＯＳ端末２が紹介広告ＩＤと商品ＩＤとを受け付けた際に、その商品ＩＤが紹介広告ＩＤに含まれている場合に、紹介関係管理部５にて、その紹介広告ＩＤに対応付けられている端末ＩＤに特典（例えば、ポイント）を付与する。
【０１４０】
また、商品紹介システム６（付与部６ｆ）が、ステップＣ５、Ｃ６のように、被紹介者に対する商品割引率を商品広告管理部４から取得し、その商品割引率を店舗ＰＯＳ端末２に送信して、店舗ＰＯＳ端末２が、被紹介者に割引サービスを行うことも可能である。
【０１４１】
なお、ステップＣ５で、商品紹介システム６（付与部６ｆ）は、商品ＩＤをキーに商品広告管理部４に割引率の問い合せを実施し、ステップＣ６、Ｃ７で、割引率を、店舗ＰＯＳ端末２に送信する。店舗ＰＯＳ端末２は、受信した割引率を適用した決済を行うことができる。
【０１４２】
続いて、ステップＣ８で、店舗ＰＯＳ端末２は決済を行う。
【０１４３】
ステップＣ８は、図４で説明した、紹介者が、実在する店舗にて商品を購入し、購入商品の中から紹介商品を選択し、紹介広告を被紹介者に送信する、ステップＡ１以降の流れに繋がり、ステップＣ８以降は、被紹介者が紹介者になって図４の流れを繰り返す。
【０１４４】
図７は、紹介者が、被紹介者の広告視聴や購買実績により、加算されたポイントを活用する際の流れを説明するためのシーケンス図である。
【０１４５】
紹介者は、ステップＤ１で、紹介者携帯端末１の端末ＩＤに基づく決済機能を用いて、紹介者携帯端末１の内部に格納された端末ＩＤを店舗ＰＯＳ端末２に読み込ませる。
【０１４６】
次に、ステップＤ２において、店舗ＰＯＳ端末２は、商品紹介システム６に端末ＩＤを送信し、さらに商品紹介システム６（付与部６ｆ）は、ステップＤ３において、紹介関係管理部５に対して端末ＩＤで検索を行い、ステップＤ４で、端末ＩＤに加算されたポイント数を得る。
【０１４７】
続いて、商品紹介システム６（付与部６ｆ）は、店舗ＰＯＳ端末２にポイント数を送信し、最終的に、ステップＤ６で、店舗ＰＯＳ端末２は、ポイントを紹介者携帯端末１にチャージする。
【０１４８】
ポイントに関しては現金化に限らず現状で行われている多様なＦＳＰ（フリクエンシー・ショッパー・プログラム）のいずれにも適用できる。
【０１４９】
本実施例によれば、以下の効果を奏する。
【０１５０】
第１の効果は、商品紹介システム６により、紹介者が、実店舗で購入した商品を、購入時の履歴を元に選択し、紹介者所有の携帯端末で容易に紹介広告を作成、送信できる仕組みを提供できることである。
【０１５１】
第２の効果は、購買情報管理部３と紹介関係管理部５に蓄積された、購買ＩＤ、紹介広告ＩＤ、商品ＩＤ、紹介者の端末ＩＤ、被紹介者の端末ＩＤ、視聴実績、購買実績、登録時間、場所等の情報を分析することにより、情報の紹介が、どのような経路でどのような時間を掛けて行われるのか分析したり、積極的な紹介を行う紹介者の発見することにより、より高度なマーケティングを行えることである。
【０１５２】
第３の効果は、商品紹介システム６により、実店舗での販売商品を対象としたアフィリシエイトの仕組みを提供することにより、紹介による商品の販売促進を図れることである。
【０１５３】
次に、本発明の第２の実施例について図面を参照して詳細に説明する。
【０１５４】
図８は、本発明の第２の実施例の販売促進システムを示したブロック図である。なお、図８において、図１に示したものと同一のものには同一符号を付してある。
【０１５５】
本実施例においては、紹介者が、紹介広告を送信する際に、通常のインターネット上のＥメール等を活用せず、構成として追加された広告配信サーバ９を経由して被紹介者携帯端末７に紹介広告ＩＤを送信する点で第１の実施例と異なる。このことにより、紹介者、被紹介者間の関連を詳細に把握可能となり、より詳細な顧客間の関連をマーケティングの視点から分析可能となる。
【０１５６】
以下、第２の実施例について、第１の実施例と異なる点を中心に説明する。
【０１５７】
図８を参照すると、本実施例は、第１の実施例に広告配信サーバ９が追加されている。
【０１５８】
なお、本実施例の商品紹介システム１００は、図１に示した商品紹介システム１００が有する機能のほかに、広告配信サーバ９から、紹介者携帯端末１が送信した紹介広告の送付先を受信し、紹介関係管理部５に紹介広告ＩＤをキーに送付先を登録する機能を備える。
【０１５９】
広告配信サーバ９は、インターネット接続可能な情報処理装置である。
【０１６０】
広告配信サーバ９は、配信情報格納部９１と、ネットワーク接続部９２と、配信情報制御部９３と、を含む。
【０１６１】
配信情報格納部９１は、コンピュータにて読み取り可能な記録媒体の一例であり、広告配信サーバ９の動作を規定するプログラムと、紹介者携帯端末１から受信した情報を格納する。
【０１６２】
ネットワーク接続部９２は、ネットワーク８を介して、紹介者携帯端末１、店舗ＰＯＳ端末２、商品紹介システム６および被紹介者携帯端末７と通信する。
【０１６３】
配信情報制御部９３は、例えば、ＣＰＵ（コンピュータ）であり、配信情報格納部９１内のプログラムを読み取り実行することによって、種々の機能を実現する。以下では、配信情報制御部９３がプログラムを読み取り実行することによって実現する機能を、広告配信サーバ９が備える機能として説明する。
【０１６４】
広告配信サーバ９は、紹介者携帯端末１から送信された端末ＩＤおよび紹介広告ＩＤを、あて先指定された被紹介者端末７に即時に送信する機能と、商品紹介システム６に、紹介広告ＩＤが送信された被紹介者携帯端末７のリストを送信する機能を備える。
【０１６５】
本実施例においては、紹介者携帯端末１が被紹介者携帯端末７に紹介広告を送信する際に、紹介広告が広告配信サーバ９を経由して被紹介者携帯端末７に送信される点が、前述した実施例と異なる。
【０１６６】
次に、本実施例の動作、具体的には、第１の実施例と異なる動作について詳細に説明する。
【０１６７】
図９は、紹介者が実在する店舗にて商品を購入し、購入商品の中から紹介商品を選択し、紹介広告を被紹介者に送信する流れを説明するためのシーケンス図である。なお、図９において、図４に示す処理と同一の処理には同一符号を付してある。
【０１６８】
ステップＡ１〜Ａ１９が実行され、紹介者携帯端末１は、紹介広告ＩＤを受け付けると、ステップＥ１にて、商品紹介アプリケーションにしたがって、格納部１１に紹介広告ＩＤを記憶すると共に、紹介者に紹介行動を促す画面を表示し、紹介者が被紹介者を選択して送信を確定すると、広告配信サーバ９に、紹介広告ＩＤを含む紹介広告、紹介者携帯端末１の端末ＩＤ、被紹介者携帯端末７のアドレス（紹介広告ＩＤの送信先）を送信する。
【０１６９】
広告配信サーバ９（配信情報制御部９３）は、紹介広告ＩＤを含む紹介広告を被紹介者携帯端末７のアドレスに送信すると共に、ステップＥ２で、商品紹介システム６を介して、紹介関係管理部５に、紹介広告ＩＤをキーに被紹介者携帯端末７のアドレスを紐付け（対応付けて）登録する。なお、紹介者携帯端末１の端末ＩＤは、紹介広告ＩＤに対応付けて登録されている。
【０１７０】
このことにより、紹介関係管理部５には、紹介広告ＩＤから、どの紹介者携帯端末が、どの紹介広告ＩＤを、どの被紹介者携帯端末アドレスに送信したかが記録される。なお、登録時刻も登録されると、いつ紹介広告ＩＤが送信されたかも記録される。
【０１７１】
図１０は、被紹介者が紹介広告を受信し、紹介広告を参照する流れを説明するためのシーケンス図である。なお、図１０において、図５に示した処理と同一の処理には同一符号を付してある。以下では、図５に示した処理と異なる点を中心に動作を説明する。
【０１７２】
ステップＦ１にて、広告配信サーバ９は、紹介広告ＩＤを文書に含むメールを、被紹介者携帯端末１に送信し、被紹介者携帯端末１は、そのメールを受信する。その後、ステップＢ２〜Ｂ７が実行される。
【０１７３】
続いて、商品紹介システム６（付与部６ｆ）は、ステップＦ２にて、紹介関係管理部５に対して、どの紹介広告ＩＤに含まれるどの商品ＩＤにどの端末ＩＤがいつ興味を示したのかを示すレコードを、紹介広告ＩＤをキーに、商品ＩＤ、被紹介者の端末ＩＤを紐付けて作成し、広告視聴実績として記録する。
【０１７４】
またステップＦ３で、商品紹介システム６（付与部６ｆ）は、紹介者への広告視聴ポイントの加算を行うこともできる。
【０１７５】
なお、本実施例において、被紹介者が商品広告を店舗にて活用し、購入する際の流れは、図４に示した処理と同一になる。
【０１７６】
この一連の流れを経ることで、紹介関連管理部５に蓄積された紹介商品ＩＤをキーとした情報関係を展開することより、どの紹介者がいつどの紹介広告ＩＤを送信し、被紹介者が受信した紹介広告に含まれるどの商品に興味を示し、どの位の時間を経て実際の購買行動に移ったのかを時系列で分析把握することができる。
【０１７７】
よって、紹介による口コミ効果での商品の販売促進を図ると共に、紹介広告が、紹介者を発信源に、どのような伝播経路を経て、市場に浸透してゆくかという経路情報と、伝播時間の収集分析が可能となり、より詳細なマーケティングを実現することが可能となる。
【０１７８】
以上説明した各実施例において、図示した構成は単なる一例であって、本発明はその構成に限定されるものではない。
【０１７９】
上記各実施例は、広域にチェーンを形成する専門店、コンビニエンスストア、ＦＣチェーン向けの販売促進プログラムとしての利用可能であり、また、多数の小規模商店により構成された商店街、ショッピングセンタなどの販売促進プログラムとしても利用可能である。
【図面の簡単な説明】
【０１８０】
【図１】本発明の第１の実施例の販売促進システムを示したブロック図である。
【図２】購買情報管理部３、商品広告管理部４および紹介関係管理部５に格納されるデータの一例を示した説明図である。
【図３】商品紹介システム６の機能ブロック図である。
【図４】第１の実施例の販売促進システムの動作を説明するためのシーケンス図である。
【図５】第１の実施例の販売促進システムの動作を説明するためのシーケンス図である。
【図６】第１の実施例の販売促進システムの動作を説明するためのシーケンス図である。
【図７】第１の実施例の販売促進システムの動作を説明するためのシーケンス図である。
【図８】本発明の第２の実施例の販売促進システムを示したブロック図である。
【図９】第２の実施例の販売促進システムの動作を説明するためのシーケンス図である。
【図１０】第２の実施例の販売促進システムの動作を説明するためのシーケンス図である。
【符号の説明】
【０１８１】
１      紹介者携帯端末
１１    格納部
１２    ネットワーク接続部
１３    非接触ＩＣカード
１４    制御部
２      店舗ＰＯＳ端末
２１    格納部
２２    リーダライタ装置
２３    入力部
２４    ネットワーク接続部
２５    制御部
３      購買情報管理部
３１    格納部
３２    制御部
４      商品広告管理部
４１    格納部
４２    制御部
５      紹介関係管理部
５１    格納部
５２    制御部
６      商品紹介システム
６１    格納部
６２    ネットワーク接続部
６３    制御部
６ａ    選択情報提供部
６ｂ    作成部
６ｃ    格納制御部
６ｄ    広告ＩＤ提供部
６ｅ    コンテンツ提供部
６ｆ    付与部
７      被紹介者携帯端末
７１    格納部
７２    ネットワーク接続部
７３    非接触ＩＣカード
７４    制御部
９      広告配信サーバ
９１    配信情報格納部
９２    配信情報制御部
９３    ネットワーク接続部
【図１】
2008234436.tif 000003
【図２】
2008234436.tif 000004
【図３】
2008234436.tif 000005
【図４】
2008234436.tif 000006
【図５】
2008234436.tif 000007
【図６】
2008234436.tif 000008
【図７】
2008234436.tif 000009
【図８】
2008234436.tif 000010
【図９】
2008234436.tif 000011
【図１０】
2008234436.tif 000012